(57)【要約】      （修正有）【課題】漏れ出した水に接触しないでも漏水の発生をいち早く検知でき、しかも漏水の量を非常に小なる量で止めることができる漏水防止装置を提供する。【解決手段】飲料ディスペンサ１に接続する水道管２の流水量を流水量センサ４により検知し、同流水量を、漏水の判定基準として予め複数設定している計測時間に対応させた判定基準流水量とそれぞれ比較し、前記流水量がこれら判定基準流水量の一つ以上上回った場合に漏水と判断し、前記水道管２に配設している電磁弁５により水道管２の管路を閉鎖して同水道管２内の流水を遮断する。【選択図】図１
0003140093.tif 000002
【実用新案登録請求の範囲】
【請求項１】
外部より供給される水を希釈水等に用いてなる飲料ディスペンサ等の外部供給水利用機器に適応できる漏水防止装置であって、飲料ディスペンサに接続する水路の流水量を流水量検知手段により検知し、同流水量を、漏水の判定基準として予め複数設定している計測時間に対応させた判定基準流水量とそれぞれ比較し、前記流水量がこれら判定基準流水量の一つ以上上回った場合に漏水と判断し、前記水路に配設している流水遮断手段により水路内の流水を遮断するように構成してなる漏水防止装置。
【請求項２】
前記水路内の流水を遮断した際に、警告を発する警告手段を設けて構成してなる請求項１に記載の漏水防止装置。
【請求項３】
前記判定基準流水量を、ユーザが任意の値に設定できるように構成してなる請求項１に記載の漏水防止装置。
【請求項４】
水分を検知する水分検知手段を設けており、同水分検知手段により所定の水分を検知した場合に、前記流水遮断手段により水路内の流水を遮断するように構成してなる請求項１に記載の漏水防止装置。
【請求項５】
震動を検知する震動検知手段を設けており、同震動検知手段により所定の震動を検知した場合に、前記流水遮断手段により水路内の流水を遮断するように構成してなる請求項１に記載の漏水防止装置。
【請求項６】
前記流水遮断手段により水路内の流水が遮断された場合に、本漏水防止装置を設置している機器の電源を遮断できるように構成してなる請求項１に記載の漏水防止装置。
【考案の詳細な説明】
【技術分野】
【０００１】
本考案は、外部より供給される水を希釈水等に用いてなる飲料ディスペンサ等の外部供給水利用機器に適応できる漏水防止装置に関する。
【背景技術】
【０００２】
従来、ファミリーレストラン等に設置されている飲料ディスペンサは、常に水道から水の供給を受けており、したがって漏水という問題を抱えている。
【０００３】
当然ながら飲料ディスペンサ側でも漏水を防止するための対策をとっているが、漏水を１００パーセント防止することは不可能に近いのが現状である。
【０００４】
このため、飲料ディスペンサに漏水を検知する漏水検知機を別途取り付け、同漏水検知機に備える水分検出用のセンサを漏れ出した水に接触できる飲料ディスペンサ内外の場所に配設して、水漏れが生じた場合、同漏水検知機から発せられる警報で水漏れの発生を察知するようにしている（例えば、特許文献１参照）。
【０００５】
しかしながら、漏れた水が水分検出用のセンサに接触しなければ警報は発せられないため、センサの配設場所によっては漏水の検知が遅れたり、あるいは漏水を検知できない恐れもあった。
【０００６】
【特許文献１】登録実用新案第３１１９１０４号（第１〜７頁、図１〜１０）
【考案の開示】
【考案が解決しようとする課題】
【０００７】
本考案は、漏れ出した水に接触しないでも漏水の発生をいち早く検知でき、しかも漏水の量を非常に小なる量で止めることができる漏水防止装置を提供できるようにした。
【課題を解決するための手段】
【０００８】
上述した課題を解決するために、本考案に係る漏水防止装置は、外部より供給される水を希釈水等に用いてなる飲料ディスペンサ等の外部供給水利用機器に適応できる漏水防止装置であって、飲料ディスペンサに接続する水路の流水量を流水量検知手段により検知し、同流水量を、漏水の判定基準として予め複数設定している計測時間に対応させた判定基準流水量とそれぞれ比較し、前記流水量がこれら判定基準流水量の一つ以上上回った場合に漏水と判断し、前記水路に配設している流水遮断手段により水路内の流水を遮断するように構成したものとしてある。
【０００９】
また前記水路内の流水を遮断した際に、警告を発する警告手段を設けて構成したものとしてある。
【００１０】
また前記判定基準流水量を、ユーザが任意の値に設定できるように構成したものとしてある。
【００１１】
さらに水分を検知する水分検知手段を設けており、同水分検知手段により所定の水分を検知した場合に、前記流水遮断手段により水路内の流水を遮断するように構成したものとしてある。
【００１２】
また震動を検知する震動検知手段を設けており、同震動検知手段により所定の震動を検知した場合に、前記流水遮断手段により水路内の流水を遮断するように構成したものとしてある。
【００１３】
また前記流水遮断手段により水路内の流水が遮断された場合に、本漏水防止装置を設置している機器の電源を遮断できるように構成したものとしてある。
【考案の効果】
【００１４】
本考案の漏水防止装置によれば、漏水の判定を、水路に流れている水の量を基にして行っているので、漏れ出た水が水分検出用のセンサに接触してからでないと水路を遮断しない従来の漏水防止装置のように、漏水発生から水路遮断までに掛かる時間が大なるものと比して、漏水発生から水路遮断までの時間を格段に短縮できるので、漏水量を非常に小なる量に止めることができ、したがって浸水被害を非常に小なるものに抑えることができる。
【００１５】
また、漏水と判定する際の判定基準となる流水量（判定基準流水量）を計測時間に対応させて予め複数設定し、これらの設定値と流水量を比較するので、例えば９０秒で０．３Ｌ程度の水が流れている場合、また２秒間で７．５Ｌ以上の水が流れている場合などのように、漏水の形態すなわちパッキン不良による前者のような漏水は少量の水が長時間流れ続け、また、水道管破損等による後者のような漏水は短時間で大量の水が流れるために、特に後者の水道管破損等による漏水時には漏水の判定をすばやく行える（例えば２秒程度で行える）ので、水路遮断等の漏水防止措置もすばやく行うことができる。
【００１６】
さらに、上述のように漏水と判定する際の判定基準となる流水量（判定基準流水量）を計測時間に対応させて複数設定しこれらと比較するので、漏水とする判定を正確にでき、したがって漏水防止装置における誤動作の発生率も大に低減できて、これらにより飲料ディスペンサを安定して運用できる。
【考案を実施するための最良の形態】
【００１７】
以下、本考案の漏水防止装置を添付図面に基づいて説明する。
図１は、本考案に係る漏水防止装置３をセットした外部利用水供給機器たる飲料ディスペンサ１を示していて、飲料ディスペンサ１に接続している水路たる水道管２の給水方向前段から、漏水防止装置３の流水量検知手段たる流水量センサ４、流水遮断手段たる電磁弁５を配設している。
【００１８】
流水量検知手段たる流水量センサ４には、例えば流水量の検出誤差が非常に小であるインペラ式の流量センサを用いる。
【００１９】
また、図１に示している漏水防止装置３はオプションを装着していない基本装備のもので、その動作は、流水量センサ４で水道管２の毎分の流水量を常に監視（検知）して、この水道管２の毎分の流水量を、図２に示す漏水の判定基準として予め複数設定している計測時間に対応させた判定基準流水量（条件１〜４）と比較して漏水なし／漏水ありを判断し、所定の動作を行うようになっている。
【００２０】
例えば、漏水防止装置３の流水量センサ４で検知した水道管２の毎分の流水量が０．２Ｌであった場合は、図２に示す漏水の判定基準と比較してもこの判定基準を上回っていないため、漏水防止装置３は漏水していないと判断して電磁弁５を作動させない。
【００２１】
また、漏水防止装置３の流水量センサ４で検知した水道管２の毎分の流水量が０．５Ｌであった場合は、図２に示す漏水の判定基準と比較するとこの判定基準における条件１の毎分の流水量を上回っているが、９０秒以内で毎分の流水量が０．３Ｌ以下になった場合は漏水防止装置３は漏水していないと判断して電磁弁５を作動させない。
【００２２】
そして、９０秒を超えても毎分の流水量が０．５Ｌであった場合は漏水防止装置３は漏水と判断して電磁弁５を作動させて水道管２の流水を遮断する。
【００２３】
また、前述の図２に示している漏水の判定基準は一例であって、飲料ディスペンサの仕様によっては、計測時間に対応させた判定基準流水量（条件１〜４）を変える場合もある。
【００２４】
図３〜図５に示している漏水防止装置３は、図１に示した漏水防止装置３にオプションを装着したものを示していて、図３は、水道管２内の流水を遮断した際に、警告を発する警告手段たる警告灯６を設けたものを示している。
【００２５】
また、警告灯６の設置場所は飲料ディスペンサ１に限るものではなく、有線あるいは無線によって人の目に付きやすい場所に設置して遠隔監視できるようにする場合もある。
【００２６】
図４は、判定基準流水量を、ユーザが設定できるように時間設定ボタン７を設けたものを示している。
【００２７】
また、時間設定ボタン７は、ご操作防止等のために漏水防止装置３の本体ケース内に設置する場合もある。
【００２８】
そして、図５は、水分を検知する水分検知手段たる水分センサ８、震動を検知する震動検知手段たる震動センサ９、前記電磁弁５により水道管２内の流水を遮断した際に対応する飲料ディスペンサ１の電源を遮断する遮断器１０を電源ケーブル１ａに設けたものを示している。
【００２９】
本実施例では飲料ディスペンサ一台に対し漏水防止装置一台としているが、漏水防止装置のセンシングチャンネル数を増やすことで、複数台の飲料ディスペンサに対し漏水防止装置一台で集中的に対応させることもできる。
【００３０】
また、１つのセンシングチャンネルにて複数台の飲料ディスペンサ、例えば２台の飲料ディスペンサに対し漏水監視をする場合は、漏水防止装置３の流水量センサ４と電磁弁５を、図６に示すように、水道管２の分岐部２ａにおける給水方向前段から、漏水防止装置３の流水量検知手段たる流水量センサ４、流水遮断手段たる電磁弁５を配設することで漏水監視を行うことができる。
【００３１】
この１つのセンシングチャンネルで複数台の飲料ディスペンサに対し漏水監視をする場合は、図７に示すように、漏水の判定基準として予め複数設定している計測時間に対応させた判定基準流水量（条件１〜４）における計測時間を、２台（図７の場合は）に適応させた計測時間にしている。
【００３２】
実施例における図１〜４中の符号３ａは、漏水防止装置３の電源ケーブルである。また、図１〜４中における各センサや各機器は、所定のケーブルによって漏水防止装置３本体と接続されている。
【図面の簡単な説明】
【００３３】
【図１】本考案に係る漏水防止装置をセットした飲料ディスペンサの側面図。
【図２】判定基準流水量（条件１〜４）の一例を示す一覧表
【図３】本考案に係る漏水防止装置をセットした飲料ディスペンサの側面図。
【図４】本考案に係る漏水防止装置をセットした飲料ディスペンサの側面図。
【図５】本考案に係る漏水防止装置をセットした飲料ディスペンサの側面図。
【図６】１つのセンシング箇所で２台の飲料ディスペンサの漏水を監視する場合のセッティングを示す図。
【図７】２台の飲料ディスペンサに対応させた判定基準流水量（条件１〜４）の一例を示す一覧表
【符号の説明】
【００３４】
１  飲料ディスペンサ
１ａ  電源ケーブル
２  水道管
２ａ  分岐部
３  漏水防止装置
３ａ  電源ケーブル
４  流水量センサ
５  電磁弁
６  警告灯
７  時間設定ボタン
８  水分センサ
９  震動センサ
１０  遮断器
【図１】
0003140093.tif 000003
【図２】
0003140093.tif 000004
【図３】
0003140093.tif 000005
【図４】
0003140093.tif 000006
【図５】
0003140093.tif 000007
【図６】
0003140093.tif 000008
【図７】
0003140093.tif 000009